(57)【要約】  所定の自然現象が発生した際に、電力を効率よく確保するための技術を提供することを課題とする。当該課題を解決するため、自然災害に関わる所定のイベントの発生及び当該イベントの詳細を示すイベント情報を取得するイベント情報取得部（１０）と、イベント情報取得部（１０）が取得したイベント情報に基づいて、管理対象の複数の蓄電池を、第１のグループ及び第２のグループに分けるグループ化部（２０）と、グループ毎に、蓄電池の充電動作を制御する蓄電池制御部（３０）と、を有する電力管理装置（１）を提供する。
2016051958.tif 000002
【特許請求の範囲】
【請求項１】
自然災害に関わる所定のイベントの発生及び当該イベントの詳細を示すイベント情報を取得するイベント情報取得手段と、
前記イベント情報に基づいて、管理対象の複数の蓄電池を、第１のグループ及び第２のグループに分けるグループ化手段と、
前記グループ毎に、前記蓄電池の充電動作を制御する蓄電池制御手段と、
を有する電力管理装置。
【請求項２】
請求項１に記載の電力管理装置において、
前記グループ化手段は、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
を有する電力管理装置。
【請求項３】
請求項２に記載の電力管理装置において、
前記ユーザインターフェイス手段は、前記影響情報として、前記蓄電池各々の設置位置、及び、前記イベント情報に基づいて所定レベルの被害を受けると予測された被害予測エリアを出力する電力管理装置。
【請求項４】
請求項３に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害予測エリアを示す情報を重ねて表示する手段と、
を有する電力管理装置。
【請求項５】
請求項２から４のいずれか１項に記載の電力管理装置において、
前記ユーザインターフェイス手段は、前記蓄電池各々の充電量、累積使用年数及び容量の中の少なくとも１つを出力する手段を有する電力管理装置。
【請求項６】
請求項１に記載の電力管理装置において、
前記グループ化手段は、
前記イベント情報取得手段が取得した前記イベント情報と、前記イベントの詳細毎に被害予測エリアを予め特定した被害予測情報とに基づいて前記被害予測エリアを特定し、前記蓄電池各々の設置位置を示す蓄電池情報に基づいて当該被害予測エリアに位置する前記蓄電池を前記第２のグループに分類する第２のグループ化手段を有する電力管理装置。
【請求項７】
請求項６に記載の電力管理装置において、
前記第２のグループ化手段は、前記被害予測エリアに基づき第１のグループに分類される場合であっても、前記蓄電池各々の充電量、累積使用年数及び容量の中の少なくとも１つを含む蓄電池情報に基づき所定の条件を満たすと判断される蓄電池においては、第２のグループに分類する電力管理装置。
【請求項８】
請求項６又は７に記載の電力管理装置において、
前記第２のグループ化手段は、前記被害予測エリアに基づき第２のグループに分類される場合であっても、前記蓄電池各々の累積使用年数及び容量の中の少なくとも１つを含む蓄電池情報に基づき所定の条件を満たすと判断される蓄電池においては、第１のグループに分類する電力管理装置。
【請求項９】
請求項１に記載の電力管理装置において、
前記グループ化手段は、
前記イベント情報取得手段が取得した前記イベント情報と、前記蓄電池各々に関する蓄電池情報とに基づいて、複数の前記蓄電池を、前記第１のグループ及び前記第２のグループに分ける第２のグループ化手段を有する電力管理装置。
【請求項１０】
請求項１から９のいずれか１項に記載の電力管理装置において、
前記蓄電池制御手段は、前記第２のグループの前記蓄電池の電力を放電するよう制御する電力管理装置。
【請求項１１】
請求項１０に記載の電力管理装置において、
前記蓄電池制御手段は、前記第２のグループの前記蓄電池の電力を、電力系統に給電するよう制御する電力管理装置。
【請求項１２】
請求項１から１１のいずれか１項に記載の電力管理装置において、
前記蓄電池制御手段は、前記第２のグループの前記蓄電池に電力を供給するよう構成された自家発電装置をさらに制御し、当該自家発電装置が発電した電力を電力系統に給電させる電力管理装置。
【請求項１３】
請求項１から１２のいずれか１項に記載の電力管理装置と、
複数の蓄電池と、
を有する電力管理システム。
【請求項１４】
コンピュータが、
自然災害に関わる所定のイベントの発生及び当該イベントの詳細を示すイベント情報を取得するイベント情報取得工程と、
前記イベント情報に基づいて、管理対象の複数の蓄電池を、第１のグループ及び第２のグループに分けるグループ化工程と、
前記グループ毎に、前記蓄電池の充電動作を制御する蓄電池制御工程と、
を実行する電力管理方法。
【請求項１５】
コンピュータを、
自然災害に関わる所定のイベントの発生及び当該イベントの詳細を示すイベント情報を取得するイベント情報取得手段、
前記イベント情報に基づいて、管理対象の複数の蓄電池を、第１のグループ及び第２のグループに分けるグループ化手段、
前記グループ毎に、前記蓄電池の充電動作を制御する蓄電池制御手段、
として機能させるためのプログラム。
【請求項１６】
自然災害に関する所定のイベントの発生及び当該イベントの詳細を示すイベント情報を取得するイベント情報取得手段と、
前記イベント情報に基づいて、管理対象の複数の蓄電池を、第１のグループ及び第２のグループに分けるグループ化手段と、を有し、
前記グループ化手段は、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
を有する電力管理装置。
【請求項１７】
請求項１６に記載の電力管理装置において、
前記ユーザインターフェイス手段は、前記蓄電池各々の設置位置、及び、前記イベント情報に基づいて所定レベルの被害を受けると予測される被害エリアを示す情報を出力する電力管理装置。
【請求項１８】
請求項１７に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害エリアを示す情報を重ねて表示する手段と、
を有する電力管理装置。
【請求項１９】
コンピュータが、
自然災害に関する所定のイベントの発生及び当該イベントの詳細を示すイベント情報を取得するイベント情報取得工程と、
前記イベント情報に基づいて、管理対象の複数の蓄電池を、第１のグループ及び第２のグループに分けるグループ化工程と、を実行し、
前記グループ化工程では、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
を実行する電力管理方法。
【請求項２０】
コンピュータを、
自然災害に関する所定のイベントの発生及び当該イベントの詳細を示すイベント情報を取得するイベント情報取得手段、
前記イベント情報に基づいて、管理対象の複数の蓄電池を、第１のグループ及び第２のグループに分けるグループ化手段、
として機能させ、
前記グループ化手段を、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
として機能させるためのプログラム。
【発明の詳細な説明】
【技術分野】
【０００１】
本発明は、電力管理装置、電力管理方法、電力管理システム、及び、プログラムに関する。
【背景技術】
【０００２】
本発明に関連する技術が、特許文献１乃至４に開示されている。【０００３】
特許文献１には、津波の発生を検知して、プラントの津波被害を抑えるための防護体制に切り替える津波防護システムが開示されている。当該津波防護システムは、津波情報を受信する津波情報受信部と、エリアごとに少なくとも標高と各々の施設を識別する施設ＩＤとプラントの外部または他の施設との間で浸水経路となり得る構造物の有無と当該構造物に付与される地下構造物ＩＤと浸水経路とを含む施設情報を格納する施設情報データベースと、エリアごとに施設に設けられた防護装置を特定可能な防護装置情報を格納する防護装置情報データベースと、施設情報および防護装置情報に基づいて津波の予測高さに対するプラントの浸水エリアを判定する浸水エリア判定部と、浸水エリアの判定結果を受けて防護装置の起動および制御を行うための制御信号を送信する防護装置制御部４、を備えている。【０００４】
特許文献２には、津波が発生して日本に進んでくる場合に、津波情報に基づき、被害を受けそうな地域の特定を行う津波被害地域特定装置が開示されている。当該津波被害地域特定装置は、津波の発生が予想される沿岸区域を示す複数の津波予報区と、津波予報区に発生する津波の予想高さとを含む津波警報を受信する津波警報受信部と、三次元の位置情報である標高地図情報を記憶する標高地図情報記憶部と、津波警報が受信されると津波警報に含まれる津波予報区に対応する対応領域を所定の規則に従って標高地図情報において特定し、対応領域の特定の元となる津波予報区の津波予報高さを津波警報から取得する津波高さ抽出部と、波高さ抽出部が取得した津波予報高さと、対応領域における標高とに基づいて、対応領域の中から津波の被害を被ると予想される津波被害予想地域を決定する津波被害地域決定部とを備える。【０００５】
特許文献３には、通常時には分散電源を系統電源に連系させることができるとともに、系統電源の停電時には非常用電源として適切な電力を供給することができる災害時対応分散電源システムが開示されている。当該災害時対応分散電源システムは、分散電源と、分散電源を系統電源に連系させるパワーコンディショナとを備え、分散電源と系統電源との連系時には単相交流電力を出力し、系統電源の停電時には系統電源からパワーコンディショナを切り離して三相交流電力を出力する。【０００６】
特許文献４には、災害発生後の災害対策拠点、防災拠点の電源確保、流動的な数のコミュニティセンターレベルの避難所の電源確保を図り、かつ、太陽光発電や風力発電等の分散電源導入や非常用電源を運用する工場のような大規模施設と、周辺地域とが連携して、周辺地域の一早い復旧を図る地域エネルギー管理方法が開示されている。当該地域エネルギー管理方法においては、蓄電池機能を備えた事業家施設であって、災害が発生した場合に復旧拠点となる地域エネルギー管理機能と、地域避難所の役割を担うコミュニティセンターとの間で、電力を融通するネットワークを構築し、災害が発生した時、地域エネルギー管理機能が、コミュニティセンターの電源要求と、事業家施設で必要とされる電源容量と、に基づいて、これらを最適に運転するように、ネットワークを利用して蓄電池機能の送達又は回収操作を行う。
【先行技術文献】
【特許文献】
【０００７】
【特許文献１】特開２０１３−１７０４３０号公報
【特許文献２】特開２０１１−２２７８７７号公報
【特許文献３】特開２００８−２７８５８８号公報
【特許文献４】特開２０１３−１１８７２２号公報
【発明の概要】
【発明が解決しようとする課題】
【０００８】
津波、高潮、大雨、台風等の自然現象により、発電所や自家発電装置の稼働が停止したり、水没等で一部または全部の電力網が使用できなくなったりという問題が発生し得る。その結果、需要家への電力供給が停止してしまう場合がある。【０００９】
このような事態に備え、上述のような自然災害を引き起こし得る所定の自然現象が発生した際には、電力供給が停止する前に発電された電力を効率よく確保する必要がある。特許文献１乃至４は、当該課題を解決するための手段を開示していない。【００１０】
本発明は、所定の自然現象が発生した際に、電力を効率よく確保するための技術を提供することを課題とする。
【課題を解決するための手段】
【００１１】
本発明によれば、
自然災害に関わる所定のイベントの発生及び当該イベントの詳細を示すイベント情報を取得するイベント情報取得手段と、
前記イベント情報に基づいて、管理対象の複数の蓄電池を、第１のグループ及び第２のグループに分けるグループ化手段と、
前記グループ毎に、前記蓄電池の充電動作を制御する蓄電池制御手段と、
を有する電力管理装置が提供される。【００１２】
本発明によれば、上記電力管理装置と、複数の蓄電池と、を有する電力管理システムが提供される。【００１３】
本発明によれば、
コンピュータが、
自然災害に関わる所定のイベントの発生及び当該イベントの詳細を示すイベント情報を取得するイベント情報取得工程と、
前記イベント情報に基づいて、管理対象の複数の蓄電池を、第１のグループ及び第２のグループに分けるグループ化工程と、
前記グループ毎に、前記蓄電池の充電動作を制御する蓄電池制御工程と、
を実行する電力管理方法が提供される。【００１４】
本発明によれば、
コンピュータを、
自然災害に関わる所定のイベントの発生及び当該イベントの詳細を示すイベント情報を取得するイベント情報取得手段、
前記イベント情報に基づいて、管理対象の複数の蓄電池を、第１のグループ及び第２のグループに分けるグループ化手段、
前記グループ毎に、前記蓄電池の充電動作を制御する蓄電池制御手段、
として機能させるためのプログラムが提供される。【００１５】
本発明によれば、
自然災害に関する所定のイベントの発生及び当該イベントの詳細を示すイベント情報を取得するイベント情報取得手段と、
前記イベント情報に基づいて、管理対象の複数の蓄電池を、第１のグループ及び第２のグループに分けるグループ化手段と、を有し、
前記グループ化手段は、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
を有する電力管理装置が提供される。【００１６】
本発明によれば、
コンピュータが、
自然災害に関する所定のイベントの発生及び当該イベントの詳細を示すイベント情報を取得するイベント情報取得工程と、
前記イベント情報に基づいて、管理対象の複数の蓄電池を、第１のグループ及び第２のグループに分けるグループ化工程と、を実行し、
前記グループ化工程では、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
を実行する電力管理方法が提供される。【００１７】
また、本発明によれば、
コンピュータを、
自然災害に関する所定のイベントの発生及び当該イベントの詳細を示すイベント情報を取得するイベント情報取得手段、
前記イベント情報に基づいて、管理対象の複数の蓄電池を、第１のグループ及び第２のグループに分けるグループ化手段、
として機能させ、
前記グループ化手段を、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
として機能させるためのプログラムが提供される。
【発明の効果】
【００１８】
本発明によれば、所定の自然現象が発生した際に、電力を効率よく確保するための技術が実現される。
【図面の簡単な説明】
【００１９】
上述した目的、およびその他の目的、特徴および利点は、以下に述べる好適な実施の形態、およびそれに付随する以下の図面によってさらに明らかになる。【００２０】
【図１】本実施形態の装置のハードウエア構成の一例を概念的に示す図である。
【図２】本実施形態の電力管理システムの全体像を模式的に示す図である。
【図３】本実施形態の電力管理装置１の機能ブロック図の一例である。
【図４】本実施形態の蓄電池情報の一例を模式的に示す図である。
【図５】本実施形態の電力管理装置１による処理の流れの一例を示すフローチャートである。
【図６】本実施形態の電力管理装置１の機能ブロック図の一例である。
【図７】本実施形態の影響情報の一例を模式的に示す図である。
【図８】本実施形態の影響情報の一例を模式的に示す図である。
【図９】本実施形態の被害予測情報の一例を模式的に示す図である。
【図１０】本実施形態の電力管理装置１の機能ブロック図の一例である。
【図１１】本実施形態の電力管理装置１の機能ブロック図の一例である。
【発明を実施するための形態】
【００２１】
まず、本実施形態の装置のハードウエア構成の一例について説明する。本実施形態の装置が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インターフェイスを中心にハードウエアとソフトウエアの任意の組合せによって実現される。そして、その実現方法、装置にはいろいろな変形例があることは、当業者には理解されるところである。
【００２２】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インターフェイス、マイク、スピーカ等の他の要素を備えてもよい。
【００２３】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００２４】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００２５】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２６】
＜第１の実施形態＞
まず、本実施形態の概要について説明する。本実施形態の電力管理装置は、以下の前提に基づいた動作を行う。
【００２７】
・ 所定の自然現象が発生した際、個人単位に加え、複数の個人や公共施設を含むグループ単位（例：地域単位、自治体単位等）で電力を確保するための補助を行う。
・ 所定の自然現象が発生した際、近年普及し、個人単位、公共施設単位でも保有され、地域の様々な場所に設置されている蓄電池に充電することで、電力を確保する。
【００２８】
以下、自治体単位で電力を確保する前提で発明を説明するが、その他、近隣の複数の世帯の集まり単位、近隣の知人同士の集まり単位等、その他の単位で電力を確保することもできる。
【００２９】
例えば、ある自治体に影響を及ぼす所定の自然現象が発生したことを検知した本実施形態の電力管理装置は、当該自治体に属する複数の蓄電池を制御し、電力系統（電力会社により管理され、発電、変電、送電、配電を統合したシステム）や、当該自治体に属する自家発電装置からの電力等で充電するよう動作させることができる。これにより、当該自治体は、ある程度の量の電力を確保することができる。そして、仮に、その後、当該自治体への電力供給が停止する事態になったとしても、当該自治体は、電力供給が停止するまでに確保した電力を利用して、その場をしのぐことができる。
【００３０】
しかし、当該自治体に属する複数の蓄電池への充電を適切に制御しなければ、災害発生後に必要な電力を得られない可能性がある。
【００３１】
複数の蓄電池の設置位置は様々であるため、自然現象の影響を受け、水没等により使用不可になる蓄電池もあれば、水没等にならず、使用不可にならない蓄電池もある。必要な電力を効率よく確保するためには、使用不可にならないと考えられる蓄電池に優先的に充電を行うのが好ましい。
【００３２】
そこで、本実施形態の電力管理装置は、所定の自然現象の発生を検知すると、その詳細に基づいて、管理対象の複数の蓄電池を第１のグループと第２のグループとに分ける。第１のグループには、使用不可にならないと考えられる蓄電池が属する。第２のグループには、使用不可になると考えられる蓄電池が属する。そして、第１及び第２のグループの蓄電池の動作を制御し、第１のグループの蓄電池に優先的に充電させる。このようにすれば、所定の自然現象の発生検知後に必要な電力を、効率よく確保することができる。
【００３３】
以下、本実施形態の詳細を説明する。図２に本実施形態の電力管理装置１を含む電力管理システムの全体像を模式的に示す。電力管理システムは、電力管理装置１と、複数の蓄電池２とを有する。さらに、制御装置３及び自家発電装置４の少なくとも一方を有してもよい。
【００３４】
蓄電池２は、所定の場所に設置される。例えば、需要家の自宅、オフィス、店舗、工場、公共施設等に設置される。複数の蓄電池２は、ＬＡＮ等のネットワークを介して、各々に対応した制御装置３と接続し、通信可能になっている。
【００３５】
自家発電装置４は、太陽光等の自然エネルギーを利用した発電装置であってもよいし、その他のエネルギーを利用する発電装置であってもよい。自家発電装置４は、例えば、需要家の自宅、オフィス、店舗、工場、公共施設等に設置される。そして、自家発電装置４は、ＬＡＮ等のネットワークを介して、各々に対応した制御装置３と接続し、通信可能になっている。
【００３６】
制御装置３は、例えば、いわゆるＨＥＭＳ（Home Energy Management System）コントローラである。制御装置３は、対応した蓄電池２や自家発電装置４と接続し、これらの動作を制御したり、これらから情報を取得して稼働状態を監視したりする。また、制御装置３は、インターネット等のネットワーク５に接続し、同ネットワーク５に接続した電力管理装置１と通信可能になっている。例えば、制御装置３は、電力管理装置１から受信した命令に従い、蓄電池２や自家発電装置４の動作を制御する。また、制御装置３は、蓄電池２や自家発電装置４から取得した情報（例：蓄電池２の充電量等）を電力管理装置１に送信することができる。なお、蓄電池２や自家発電装置４がネットワーク５と接続し、電力管理装置１と通信可能になっていてもよい。
【００３７】
図３に、本実施形態の電力管理装置１の機能ブロック図の一例を示す。図示するように、電力管理装置１は、イベント情報取得部１０と、グループ化部２０と、蓄電池制御部３０とを有する。
【００３８】
イベント情報取得部１０は、自然災害に関わる所定のイベントの発生及び当該イベントの詳細を示すイベント情報を取得する。ここでの自然災害は、自然現象により、需要家への電力供給が停止することである。このような自然災害に関わる所定のイベントは、例えば、所定レベル以上の自然現象（津波、高潮、大雨、噴火、土砂崩れ等）であり、例えば、日本の気象庁により発表される警報、特別警報レベルの自然現象であってもよい。当該イベントの詳細は、イベント（自然現象）の種類、イベントが影響するエリア（例：警報、特別警報対象エリア）、津波高さ、高潮高さ、雨量等である。
【００３９】
イベント情報取得部１０は、例えば、ユーザが操作部７Ａを介して入力したイベント情報を取得してもよい。例えば、ユーザは、気象情報を管理する団体等（例：気象庁）により、自己が属する自治体に関する所定のイベントが発表された場合には、発表された情報に基づいてイベント情報を電力管理装置１に入力してもよい。その他、イベント情報取得部１０は、気象情報を管理する団体のサーバから、ネットワーク５を介してイベント情報を受信してもよい。その他、イベント情報取得部１０は、気象情報を管理する団体のサーバなどにネットワーク５を介して自動的（自律的）にアクセスして、イベント情報を取得してもよい。
【００４０】
グループ化部２０は、イベント情報に基づいて、管理対象の複数の蓄電池２を、第１のグループ及び第２のグループに分ける。第１のグループの蓄電池２は、以下の蓄電池制御部３０により、第２のグループの蓄電池２よりも優先的に充電を行うよう制御される。
【００４１】
管理対象の複数の蓄電池２は、所定のイベント発生時に、電力確保のため、まとめて動作を制御する対象として事前に登録されている蓄電池２である。例えば、図４に示すような情報が登録され、蓄電池情報記憶部２１に記憶されている。以下、当該情報を、「蓄電池情報」という。図４では、蓄電池ＩＤ（識別情報）、所有者、設置位置、標高、スペック、使用年数、充電量、アドレス情報及びグループ情報が互いに対応付けられている。なお、図示する蓄電池情報はあくまで一例であり、これらの中の一部を含まなくてもよいし、また、その他の情報が含まれてもよい。
【００４２】
「蓄電池ＩＤ（識別情報）」は、管理対象の複数の蓄電池２各々を識別するための情報である。「所有者」は、各蓄電池２の所有者である。「設置位置」は、各蓄電池２の設置位置であり、住所や緯度経度等で示される。「標高」は、各蓄電池２の設置位置の標高である。設置位置に土台等を設けてかさ上げしている場合、その高さも考慮した値を登録してもよい。
【００４３】
「スペック」は、各蓄電池２の詳細であり、例えば、容量、充電速度等である。「使用年数」は、各蓄電池２の累積使用年数である。「充電量」は、各蓄電池２の充電量の最新情報であり、ＳＯＣ（State Of Charge）や電力量等で示される。例えば、電力管理装置１は、定期的（例：１時間毎、３０分毎、５分毎等）に各蓄電池２のその時点の電力量の報告を、各蓄電池２又は各蓄電池２に対応した制御装置３から受ける。そして、当該情報に基づいて、「充電量」の欄を更新する。
【００４４】
「アドレス」は、各蓄電池２のアドレス情報、及び／又は、各蓄電池２に対応した制御装置３のアドレス情報（ネットワーク５を介して通信するための情報）である。「グループ」の欄には、所定のイベント発生時に、グループ化部２０により振り分けられたグループ（第１及び第２のグループ）を示す情報が書き込まれる。
【００４５】
グループ化部２０が管理対象の複数の蓄電池２を第１及び第２のグループに分ける手法としては、以下のようなものが考えらえる。なお、（１）及び（２）の処理の詳細については、以下の実施形態で説明する。
【００４６】
（１）グループ化部２０が、イベント情報や各蓄電池２の蓄電池情報（設置位置、標高等）に基づき、各蓄電池２が所定レベルの被害を受けるか否かをユーザが判断するための情報を作成して、出力する。その後、グループ化部２０は、ユーザから各蓄電池２を第１又は第２のグループに分類する入力を受付け、それに従い各蓄電池２を分類する。
【００４７】
（２）グループ化部２０が、イベント情報や各蓄電池２の蓄電池情報（設置位置、標高等）に基づき、所定レベルの被害を受けないと考えられる蓄電池２を抽出して第１のグループに分類するとともに、所定レベルの被害を受けると考えられる蓄電池２を抽出して第２のグループに分類する。
【００４８】
蓄電池制御部３０は、イベント情報取得部１０がイベント情報を取得し、グループ化部２０が管理対象の蓄電池２を第１及び第２のグループに分けると、当該グループ毎に、蓄電池２の充電動作を制御する。例えば、蓄電池制御部３０は、第２のグループの蓄電池２よりも第１のグループの蓄電池２が優先的に充電できるよう制御する。なお、必ずしもグループに属する全部の装置に対して動作の制御を行う必要はなく、対象外となる一部の装置があってもよい。
【００４９】
例えば、蓄電池制御部３０は、第１のグループの蓄電池２又は当該蓄電池２に対応する制御装置３に、蓄電池２への充電動作を行う命令を送信する。すると、その時点で充電動作を行っていなかった蓄電池２は、当該命令に従い、充電動作を開始する。また、その時点で充電動作を行っていた蓄電池２は、充電動作を継続する。そして、例えば、満充電状態となるまで、又は、蓄電池２への電力供給が停止し、充電できなくなるまで、第１のグループの蓄電池２は充電動作を継続する。
【００５０】
蓄電池２への充電は、電力系統や、対応する自家発電装置４からの電力でなされる。対応する自家発電装置４とは、充電対象の蓄電池２と同じ需要家により管理され、当該蓄電池２と所定の電力配線で（電力系統を介さず）電力の供給が可能となっている自家発電装置４である。
【００５１】
また、蓄電池制御部３０は、第２のグループの蓄電池２又は当該蓄電池２に対応する制御装置３に、充電動作を停止する命令を送信する。すると、その時点で充電動作を行っていた蓄電池２は、当該命令に従い、充電動作を停止する。また、その時点で充電動作を行っていなかった蓄電池２は、その状態を継続する。なお、第２のグループの蓄電池２への充電を行わない間、当該蓄電池２に対応する自家発電装置４が発電した電力は、電力系統に給電されてもよい。このようにして電力系統に給電された電力は、第１のグループの蓄電池２の充電に利用される。その他、この間、当該蓄電池２に対応する自家発電装置４は、発電を停止してもよい。
【００５２】
このようにして、第２のグループの蓄電池２に対応する自家発電装置４が発電した電力を電力系統に給電（逆潮流）させることで、当該電力を第１のグループの蓄電池２の充電に利用することができる。また同様に、第２のグループの蓄電池２に充電されている電力を電力系統に給電（逆潮流）させることで、当該電力を第１のグループの蓄電池２の充電に利用してもよい。なお、その他、第２のグループの蓄電池２に対応する自家発電装置４は、発電を停止してもよい。
【００５３】
なお、蓄電池制御部３０は、第１のグループの蓄電池２への充電が所定の状態に達すると、それに応じて、第２のグループの蓄電池２の充電を開始してもよい。上記所定の状態は、例えば、所定レベル（例：ＳＯＣ９０％以上、ＳＯＣ１００％）の充電が、第１のグループの中の所定割合（例：７０％以上、９０％以上、１００％）の蓄電池２において完了した状態であってもよい。例えば、蓄電池制御部３０からの充電命令を受け取ったのち、所定レベルの充電が完了した蓄電池２又はそれに対応する制御装置３は、その旨を電力管理装置１に通知するよう構成されてもよい。そして、蓄電池制御部３０は、第１のグループの蓄電池２の最新の充電状態を監視し、所定の状態になったことを検知すると、第２のグループの蓄電池２又は当該蓄電池２に対応する制御装置３に、充電動作を行う命令を送信してもよい。
【００５４】
第２のグループの蓄電池２への充電は、電力系統や、対応する自家発電装置４からの電力でなされる。そして、例えば、満充電状態となるまで、又は、蓄電池２への電力供給が停止し、充電できなくなるまで、第２のグループの蓄電池２への充電動作を継続する。
【００５５】
なお、上記第１のグループの蓄電池２の充電の後に第２のグループの蓄電池２の充電を行う処理に代えて、第２のグループの蓄電池２の充電は行わないようにすることもできる。この場合、蓄電池制御部３０は、第２のグループの蓄電池２に充電されている電力を放電（例：電力系統に給電）し、残量を少なくするよう制御してもよい。使用不可となる可能性の高い蓄電池２に充電するのは危険の可能性もあるため、安全面から残量のある第２のグループの蓄電池２を放電して、ショートなどによる火災の発生を抑制しても良い。
【００５６】
上述のように蓄電池制御部３０が第１及び第２のグループの蓄電池２の動作を制御している間、各蓄電池２及び／又は制御装置３は、非常時ゆえ、電力管理装置１が遠隔操作で蓄電池２の動作を制御している旨を出力してもよい。出力手段としては、ディスプレイへの表示、スピーカを介した音声の出力、所定の警告ランプの点灯等が考えられるが、その他の手段を採用することもできる。このように通知することで、蓄電池２の所有者は、状況を把握することができる。その他、各蓄電池２及び／又は制御装置３は、被害予測情報、避難のレベル（避難勧告、避難指示等）、避難場所や避難ルート情報等を通知してもよい。
【００５７】
次に、図５のフローチャートを用いて、本実施形態の電力管理装置１の処理の流れの一例を説明する。
【００５８】
イベント情報取得部１０は、イベント情報取得待ち状態となっている（Ｓ１０）。そして、イベント情報取得部１０がイベント情報を取得すると（Ｓ１０のＹｅｓ）、グループ化部２０は、イベント情報に基づいて、管理対象の複数の蓄電池２を第１及び第２のグループに分ける（Ｓ２０）。
【００５９】
その後、蓄電池制御部３０は、Ｓ２０でのグループ分けの結果に基づいて、第１のグループの蓄電池２に優先的に充電を行うよう、管理対象の複数の蓄電池２の動作を制御する（Ｓ３０）。
【００６０】
なお、蓄電池制御部３０により充電するよう制御された蓄電池２及び／又は制御装置３は、充電終了後、充電量を電力管理装置１に通知してもよい。そして、電力管理装置１は、このように各蓄電池２及び／又は各制御装置３からの通知に基づき、充電状態に関する情報をユーザに向けて出力してもよい。例えば、電力管理装置１は、電力が残っている蓄電池２の一覧、各蓄電池２の充電量、充電量の総量等を、ユーザに向けて出力してもよい。ユーザは、このような情報を、その後の避難生活における電力運用計画に用いることができる。
【００６１】
以上説明した本実施形態の電力管理装置１は、自然災害（需要家への電力供給停止）に関わる所定のイベントが発生すると、その詳細に基づいて管理対象の複数の蓄電池２を、優先的に充電する第１のグループと、その他の第２のグループに分類することができる。そして、第１のグループの蓄電池２に優先的に充電を行うことができる。
【００６２】
例えば、発生した自然現象の影響で使用不可になると考えられる蓄電池２を第２のグループに分類し、使用不可にならないと考えられる蓄電池２を第１のグループに分類して、充電を制御することができる。
【００６３】
このような電力管理装置１によれば、所定の自然現象が発生した際に、必要な電力を効率よく確保することが可能となる。
【００６４】
＜第２の実施形態＞
本実施形態では、グループ化部２０が、イベント情報や各蓄電池２の蓄電池情報（設置位置、標高等）に基づき、各蓄電池２が所定レベルの被害（使用不可となる被害）を受けるか否かをユーザが判断するための情報を作成して、出力する。そして、グループ化部２０は、各蓄電池２を第１又は第２のグループに分類する入力をユーザから受付け、それに従い各蓄電池２を分類する。
【００６５】
図６に、本実施形態の電力管理装置１の機能ブロック図の一例を示す。図示するように、電力管理装置１は、イベント情報取得部１０と、グループ化部２０と、蓄電池制御部３０とを有する。イベント情報取得部１０及び蓄電池制御部３０の構成は、第１の実施形態と同様である。
【００６６】
グループ化部２０は、蓄電池情報記憶部２１と、ユーザインターフェイス部２２と、第１のグループ化部２３とを有する。
【００６７】
蓄電池情報記憶部２１は、第１の実施形態同様、管理対象の複数の蓄電池２各々に関する情報（蓄電池情報）を記憶する。図４に、蓄電池情報の一例が示されている。
【００６８】
ユーザインターフェイス部２２は、イベント情報に基づいて作成された影響情報をユーザに向けて出力する。影響情報は、複数の蓄電池２各々に対するイベント（イベント情報取得部１０が取得したイベント情報で示されるイベント）の影響を示す情報である。具体的に影響情報とは、例えば蓄電池２の設置位置が示されている地図情報と、イベント情報に基づいて所定レベルの被害を受けると予測される被害エリアとの両方を示す情報であってもよい。そして、ユーザインターフェイス部２２は、影響情報を出力した後、複数の蓄電池２を第１のグループ及び第２のグループにグループ分けするユーザ入力を受付ける。
【００６９】
ユーザインターフェイス部２２による影響情報の出力手段としては、電力管理装置１が備えるディスプレイ５Ａへの表示、所定のサーバへのアップロード、電力管理装置１と接続したプリンターを介した出力、予め登録されたメールアドレスへのメール送信等が考えられる。
【００７０】
ユーザは、例えば、ディスプレイ５Ａに表示された影響情報や、プリンターからプリントアウトされた影響情報や、メールで送信された影響情報を閲覧することができる。その他、ユーザは、所定の端末（例：携帯端末等）を用いて上記所定のサーバに保存されている影響情報にアクセスし、当該端末のディスプレイに表示させて閲覧することができる。
【００７１】
ここで、ユーザインターフェイス部２２による動作の一例を説明する。
【００７２】
図７に、ユーザインターフェイス部２２が出力する影響情報の一例を示す。図７では、管理対象の蓄電池２が設置されているエリアの地図が示されている。また、蓄電池情報に基づいて、蓄電池２各々の設置位置（図中、丸Ｂで示す位置）が示されている。さらに、イベント情報に基づいて所定レベルの被害を受けると予測された被害予測エリア（図中、Ｄで示す斜線部分）が示されている。
【００７３】
なお、本実施形態では、被害予測エリアＤを特定する手段としてあらゆる手段を採用することができる。例えば、グループ化部２０は、イベントの詳細毎（例：高さ××以上の津波、雨量△△以上の大雨）に、そのイベントが発生すると所定レベルの被害を受けると予測される被害予測エリアを予め特定した被害予測情報を予め記憶していてもよい（図９参照）。そして、グループ化部２０は、イベント情報と被害予測情報とに基づいて、被害予測エリアＤを特定してもよい。
【００７４】
図７に示す例の場合、ユーザインターフェイス部２２は、管理対象の蓄電池２が設置されているエリアの地図をディスプレイに表示する手段と、当該地図上に、蓄電池２各々の設置位置を示す情報を重ねて表示する手段と、当該地図上に、被害予測エリアＤを示す情報を重ねて表示する手段と、を有する。
【００７５】
ユーザインターフェイス部２２は、図７に示すユーザインターフェイス画面上において、複数の蓄電池２各々を個別に指定し（例：丸Ｂで示す蓄電池２へのタッチ操作、カーソル位置を合わせての入力操作等）、第１及び第２のグループいずれに属させるか指定するユーザ入力を受付けてもよい。例えば、ユーザは、被害予測エリアＤに設置されていない蓄電池２を第１のグループに属させ、被害予測エリアＤに設置されている蓄電池２を第２のグループに属させるように入力することができる。
【００７６】
また、当該ユーザインターフェイス画面上において、１つの蓄電池２を所定の操作で指定するユーザ入力を受付けると、ユーザインターフェイス部２２は、蓄電池情報に基づいて、その蓄電池２の詳細を表示してもよい。図７の例の場合、中心付近の蓄電池２が指定され、吹き出し形式で、その蓄電池２の所有者、スペック、使用年数、充電量等が表示されている。
【００７７】
ユーザは、このような蓄電池２の詳細を参照しながら、蓄電池２をグループ分けしてもよい。例えば、累積使用年数が短く、故障の可能性が低い蓄電池２を第１のグループに属させ、累積使用年数が長く、故障の可能性が高い蓄電池２を第２のグループに属させてもよい。また、被害予測エリアＤに設置されていない蓄電池２であっても、累積使用年数が長く、故障の可能性が高い蓄電池２や、その時点で既に満充電の蓄電池は第２のグループに属させてもよい。また、充電速度が相対的に速い蓄電池２を第１のグループに属させてもよい。
【００７８】
また、当該ユーザインターフェイス画面上において、地図の形式を変更する入力を受付けると、ユーザインターフェイス部２２は、地図の形式を変更してもよい。例えば、図８に示すように、等高線図で地図を表示してもよい。
【００７９】
ユーザは、様々な情報を包括的に考慮して、蓄電池２のグループ分けを行うことができる。
【００８０】
ここで、ユーザインターフェイス部２２による動作の他の例を説明する。
【００８１】
例えば、ユーザインターフェイス部２２は、図４に示すような管理対象の蓄電池２の蓄電池情報の一覧（文字情報）を、影響情報の一部として出力してもよい。また、ユーザインターフェイス部２２は、上記被害予測エリアＤを示す情報（文字情報）を、影響情報の一部として出力してもよい。当該例の場合、被害予測エリアＤは、○○町○番地〜△番地等のように、文字情報で示されてもよい。そして、ユーザは、このような影響情報に基づいて、蓄電池２のグループ分けを行い、複数の蓄電池２各々を第１及び第２のグループいずれに属させるか指定する入力を行ってもよい。
【００８２】
以上説明した本実施形態の電力管理装置１によれば、第１の実施形態と同様の作用効果を実現できる。また、本実施形態の電力管理装置１によれば、ユーザは、イベント情報や蓄電池情報等に基づいて作成された影響情報を参照して、管理対象の複数の蓄電池２を第１及び第２のグループにグループ分けすることができる。このような本実施形態によれば、ユーザは、高精度に、複数の蓄電池２各々が所定レベルの被害（使用不可となる被害）を受けるか否かを判断し、第１及び第２のグループに分類することができる。結果、所定の自然現象が発生した際に、必要な電力を効率的に確保することが可能となる。
【００８３】
＜第３の実施形態＞
本実施形態では、グループ化部２０が、イベント情報や各蓄電池２の蓄電池情報（設置位置、標高等）に基づき、所定レベルの被害を受けないと考えられる蓄電池２を抽出して第１のグループに分類するとともに、所定レベルの被害を受けると考えられる蓄電池２を抽出して第２のグループに分類する。
【００８４】
図１０に、本実施形態の電力管理装置１の機能ブロック図の一例を示す。図示するように、電力管理装置１は、イベント情報取得部１０と、グループ化部２０と、蓄電池制御部３０とを有する。イベント情報取得部１０及び蓄電池制御部３０の構成は、第１の実施形態と同様である。
【００８５】
グループ化部２０は、蓄電池情報記憶部２１と、被害予測情報記憶部２４と、第２のグループ化部２５とを有する。蓄電池情報記憶部２１の構成は、第２の実施形態と同様である。
【００８６】
被害予測情報記憶部２４は、イベントの詳細毎（例：高さ××以上の津波、雨量△△以上の大雨）に所定レベルの被害（例：水没等）を受けると予測される被害予測エリアを予め特定した被害予測情報（図９参照）を記憶する。被害予測エリアは、住所や緯度経度で示される。
【００８７】
第２のグループ化部２５は、イベント情報取得部１０が取得したイベント情報及び被害予測情報記憶部２４が予め記憶する被害予測情報（図９参照）に基づいて、今回発生したイベントによる被害予測エリアを特定することができる。そして、第２のグループ化部２５は、蓄電池情報記憶部２１が記憶する蓄電池情報（図４参照）に基づいて、蓄電池２各々の設置位置が特定した被害予測エリア内に位置するか判断する。第２のグループ化部２５は、特定した被害予測エリアに位置しない蓄電池２を第１のグループに分類し、被害予測エリアに位置する蓄電池２を第２のグループに分類する。
【００８８】
なお、第２のグループ化部２５は、特定した被害予測エリアに基づき第１のグループに分類される場合であっても、蓄電池２各々の充電量、累積使用年数及び容量の中の少なくとも１つを含む蓄電池情報に基づき所定の条件を満たすと判断される蓄電池２においては、第２のグループに分類してもよい。例えば、充電状態が満充電、累積使用年数が所定値以上、容量が所定値以下等の条件を満たす蓄電池２を、第２のグループに分類してもよい。
【００８９】
また、第２のグループ化部２５は、特定した被害予測エリアに基づき第２のグループに分類される場合であっても、蓄電池２各々の累積使用年数及び容量の中の少なくとも１つを含む蓄電池情報に基づき所定の条件を満たすと判断される蓄電池２においては、第１のグループに分類してもよい。例えば、累積使用年数が所定値以下、容量が所定値以上等の条件を満たす蓄電池２を、第１のグループに分類してもよい。
【００９０】
その他の例として、第２のグループ化部２５は、イベント情報取得部１０が取得したイベント情報及び蓄電池情報記憶部２１が記憶する蓄電池情報（図４参照）に基づいて、グループ分けを行ってもよい。すなわち、第２のグループ化部２５は、被害予測情報記憶部２４が記憶する被害予測情報（図９参照）を用いずにグループ分けを行ってもよい。例えば、第２のグループ化部２５は、イベント情報に基づいて第１及び第２のグループに分ける条件を決定し、当該条件に従ってグループ分けを行うことができる。具体例として、第２のグループ化部２５は、「高さ５ｍの津波」というイベント情報が取得された場合、「標高５ｍ以下に配置されている蓄電池２を第２のグループとし、標高５ｍより高い位置に配置されている蓄電池２を第１のグループとする条件」を作成してもよい。
【００９１】
なお、電力管理装置１により自動的にグループ分けされた後も、ユーザ操作に応じてグループ分けの内容を修正できるよう構成してもよい。例えば、電力管理装置１は、電力管理装置１により自動的にグループ分けされた後、かつ、蓄電池制御部３０による蓄電池２の制御が開始する前に、グループ分けの結果をユーザに向けて出力してもよい。そして、電力管理装置１は、出力後、結果を修正する入力や、決定した結果（電力管理装置１により自動的にグループ分けされた結果、又は、ユーザが修正した後の結果）で蓄電池２の制御を開始する入力を受付けてもよい。そして、蓄電池制御部３０は、決定した結果で蓄電池２の制御を開始する入力を受付けた後、決定された内容に基づいて蓄電池２の制御を開始してもよい。
【００９２】
例えば、電力管理装置１は、グループ分けの結果として、図７や図８に示す画面と同様の画面を出力してもよい。そして、当該画面において、各蓄電池２（図中、丸Ｂで示す）が第１及び第２のグループいずれに属しているのか、マーク（丸Ｂ）の色、大きさ、形状、マークに付与する文字情報等により、識別表示してもよい。そして、当該画面において、各蓄電池２のグループを変更するユーザ入力を受付けてもよい。その他、電力管理装置１は、図４に示すような複数の蓄電池２の一覧情報を出力してもよい。そして、当該情報を個別に変更するユーザ入力を受付けてもよい。
【００９３】
以上説明した本実施形態によれば、第１及び第２の実施形態と同様の作用効果を実現できる。また、本実施形態の場合、複数の蓄電池２各々を第１及び第２のグループいずれに分けるかの判断、及び、判断結果の入力等のユーザ作業が不要となる。所定のイベント発生時には、避難や避難の補助等に時間を取られ、電力管理装置１の操作を行えなくなる恐れがある。本実施形態の場合、電力管理装置１が自動的に複数の蓄電池２をグループ分けし、第１のグループの蓄電池２への優先的な充電を行うので、このような場合でも、電力を効率よく確保することができる。
【００９４】
＜第４の実施形態＞
図１１に、本実施形態の電力管理装置１の機能ブロック図の一例を示す。本実施形態の電力管理装置１は、蓄電池制御部３０を有さない点で第２の実施形態の電力管理装置１と異なる。本実施形態の電力管理装置１のその他の構成は、第２の実施形態と同様である。
【００９５】
本実施形態の電力管理装置１によれば、イベント情報や蓄電池情報に基づいて、複数の蓄電池２各々に対するイベント（イベント情報取得部１０が取得したイベント情報で示されるイベント）の影響を示す影響情報を作成し、ユーザに向けて出力することができる。その後、ユーザから、複数の蓄電池２をグループ分けする入力を受付け、当該ユーザ入力に基づいて、複数の蓄電池２をグループ分けすることができる。ユーザは、影響情報を参照して、管理対象の複数の蓄電池２を第１及び第２のグループにグループ分けすることができる。
【００９６】
その後、ユーザは、複数の蓄電池２個別に遠隔操作などし、第２のグループの蓄電池２よりも第１のグループの蓄電池２に優先的に充電させたりすることができる。
【００９７】
このような本実施形態によれば、ユーザは、所定のイベントが発生した際、イベント情報や蓄電池情報に基づいて作成された有益な情報を含む影響情報を参照しながら、管理対象の複数の蓄電池２を、優先的に充電させる第１のグループ、及びその他の第２のグループに分類することができる。このため、当該グループ分けの精度を高めることができる。
【００９８】
以下、参考形態の例を付記する。
１．  自然災害に関わる所定のイベントの発生及び当該イベントの詳細を示すイベント情報を取得するイベント情報取得手段と、
前記イベント情報に基づいて、管理対象の複数の蓄電池を、第１のグループ及び第２のグループに分けるグループ化手段と、
前記グループ毎に、前記蓄電池の充電動作を制御する蓄電池制御手段と、
を有する電力管理装置。
２．  １に記載の電力管理装置において、
前記グループ化手段は、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
を有する電力管理装置。
３．  ２に記載の電力管理装置において、
前記ユーザインターフェイス手段は、前記影響情報として、前記蓄電池各々の設置位置、及び、前記イベント情報に基づいて所定レベルの被害を受けると予測された被害予測エリアを出力する電力管理装置。
４．  ３に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害予測エリアを示す情報を重ねて表示する手段と、
を有する電力管理装置。
５．  ２から４のいずれかに記載の電力管理装置において、
前記ユーザインターフェイス手段は、前記蓄電池各々の充電量、累積使用年数及び容量の中の少なくとも１つを出力する手段を有する電力管理装置。
６．  １に記載の電力管理装置において、
前記グループ化手段は、
前記イベント情報取得手段が取得した前記イベント情報と、前記イベントの詳細毎に被害予測エリアを予め特定した被害予測情報とに基づいて前記被害予測エリアを特定し、前記蓄電池各々の設置位置を示す蓄電池情報に基づいて当該被害予測エリアに位置する前記蓄電池を前記第２のグループに分類する第２のグループ化手段を有する電力管理装置。
７．  ６に記載の電力管理装置において、
前記第２のグループ化手段は、前記被害予測エリアに基づき第１のグループに分類される場合であっても、前記蓄電池各々の充電量、累積使用年数及び容量の中の少なくとも１つを含む蓄電池情報に基づき所定の条件を満たすと判断される蓄電池においては、第２のグループに分類する電力管理装置。
８．  ６又は７に記載の電力管理装置において、
前記第２のグループ化手段は、前記被害予測エリアに基づき第２のグループに分類される場合であっても、前記蓄電池各々の累積使用年数及び容量の中の少なくとも１つを含む蓄電池情報に基づき所定の条件を満たすと判断される蓄電池においては、第１のグループに分類する電力管理装置。
９．  １に記載の電力管理装置において、
前記グループ化手段は、
前記イベント情報取得手段が取得した前記イベント情報と、前記蓄電池各々に関する蓄電池情報とに基づいて、複数の前記蓄電池を、前記第１のグループ及び前記第２のグループに分ける第２のグループ化手段を有する電力管理装置。
１０．  １から９のいずれかに記載の電力管理装置において、
前記蓄電池制御手段は、前記第２のグループの前記蓄電池の電力を放電するよう制御する電力管理装置。
１１．  １０に記載の電力管理装置において、
前記蓄電池制御手段は、前記第２のグループの前記蓄電池の電力を、電力系統に給電するよう制御する電力管理装置。
１２．  １から１１のいずれかに記載の電力管理装置において、
前記蓄電池制御手段は、前記第２のグループの前記蓄電池に電力を供給するよう構成された自家発電装置をさらに制御し、当該自家発電装置が発電した電力を電力系統に給電させる電力管理装置。
１３．  １から１２のいずれかに記載の電力管理装置と、
複数の蓄電池と、
を有する電力管理システム。
１４．  コンピュータが、
自然災害に関わる所定のイベントの発生及び当該イベントの詳細を示すイベント情報を取得するイベント情報取得工程と、
前記イベント情報に基づいて、管理対象の複数の蓄電池を、第１のグループ及び第２のグループに分けるグループ化工程と、
前記グループ毎に、前記蓄電池の充電動作を制御する蓄電池制御工程と、
を実行する電力管理方法。
１４−２．  １４に記載の電力管理方法において、
前記グループ化工程では、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
を実行する電力管理方法。
１４−３．  １４−２に記載の電力管理方法において、
前記ユーザインターフェイス工程では、前記影響情報として、前記蓄電池各々の設置位置、及び、前記イベント情報に基づいて所定レベルの被害を受けると予測された被害予測エリアを出力する電力管理方法。
１４−４．  １４−３に記載の電力管理方法において、
前記ユーザインターフェイス工程では、
前記蓄電池が設置されているエリアの地図をディスプレイに表示する工程と、
前記地図上に、前記蓄電池各々の設置位置を示す情報を重ねて表示する工程と、
前記地図上に、前記被害予測エリアを示す情報を重ねて表示する工程と、
を実行する電力管理方法。
１４−５．  １４−２から１４−４のいずれかに記載の電力管理方法において、
前記ユーザインターフェイス工程では、前記蓄電池各々の充電量、累積使用年数及び容量の中の少なくとも１つを出力する工程を実行する電力管理方法。
１４−６．  １４に記載の電力管理方法において、
前記グループ化工程では、
前記イベント情報取得工程で取得した前記イベント情報と、前記イベントの詳細毎に被害予測エリアを予め特定した被害予測情報とに基づいて前記被害予測エリアを特定し、前記蓄電池各々の設置位置を示す蓄電池情報に基づいて当該被害予測エリアに位置する前記蓄電池を前記第２のグループに分類する第２のグループ化工程を実行する電力管理方法。
１４−７．  １４−６に記載の電力管理方法において、
前記第２のグループ化工程では、前記被害予測エリアに基づき第１のグループに分類される場合であっても、前記蓄電池各々の充電量、累積使用年数及び容量の中の少なくとも１つを含む蓄電池情報に基づき所定の条件を満たすと判断される蓄電池においては、第２のグループに分類する電力管理方法。
１４−８．  １４−６又は１４−７に記載の電力管理方法において、
前記第２のグループ化工程では、前記被害予測エリアに基づき第２のグループに分類される場合であっても、前記蓄電池各々の累積使用年数及び容量の中の少なくとも１つを含む蓄電池情報に基づき所定の条件を満たすと判断される蓄電池においては、第１のグループに分類する電力管理方法。
１４−９．  １４に記載の電力管理方法において、
前記グループ化工程では、
前記イベント情報取得工程で取得した前記イベント情報と、前記蓄電池各々に関する蓄電池情報とに基づいて、複数の前記蓄電池を、前記第１のグループ及び前記第２のグループに分ける第２のグループ化工程を実行する電力管理方法。
１４−１０．  １４から１４−９のいずれかに記載の電力管理方法において、
前記蓄電池制御工程では、前記第２のグループの前記蓄電池の電力を放電するよう制御する電力管理方法。
１４−１１．  １４−１０に記載の電力管理方法において、
前記蓄電池制御工程では、前記第２のグループの前記蓄電池の電力を、電力系統に給電するよう制御する電力管理方法。
１４−１２．  １４から１４−１１のいずれかに記載の電力管理方法において、
前記蓄電池制御工程では、前記第２のグループの前記蓄電池に電力を供給するよう構成された自家発電装置をさらに制御し、当該自家発電装置が発電した電力を電力系統に給電させる電力管理方法。
１５．  コンピュータを、
自然災害に関わる所定のイベントの発生及び当該イベントの詳細を示すイベント情報を取得するイベント情報取得手段、
前記イベント情報に基づいて、管理対象の複数の蓄電池を、第１のグループ及び第２のグループに分けるグループ化手段、
前記グループ毎に、前記蓄電池の充電動作を制御する蓄電池制御手段、
として機能させるためのプログラム。
１５−２．  １５に記載のプログラムにおいて、
前記グループ化手段を、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
として機能させるプログラム。
１５−３．  １５−２に記載のプログラムにおいて、
前記ユーザインターフェイス手段に、前記影響情報として、前記蓄電池各々の設置位置、及び、前記イベント情報に基づいて所定レベルの被害を受けると予測された被害予測エリアを出力させるプログラム。
１５−４．  １５−３に記載のプログラムにおいて、
前記ユーザインターフェイス手段を、
前記蓄電池が設置されているエリアの地図をディスプレイに表示する手段、
前記地図上に、前記蓄電池各々の設置位置を示す情報を重ねて表示する手段、
前記地図上に、前記被害予測エリアを示す情報を重ねて表示する手段、
として機能させるプログラム。
１５−５．  １５−２から１５−４のいずれかに記載のプログラムにおいて、
前記ユーザインターフェイス手段を、前記蓄電池各々の充電量、累積使用年数及び容量の中の少なくとも１つを出力する手段として機能させるプログラム。
１５−６．  １５に記載のプログラムにおいて、
前記グループ化手段を、
前記イベント情報取得手段が取得した前記イベント情報と、前記イベントの詳細毎に被害予測エリアを予め特定した被害予測情報とに基づいて前記被害予測エリアを特定し、前記蓄電池各々の設置位置を示す蓄電池情報に基づいて当該被害予測エリアに位置する前記蓄電池を前記第２のグループに分類する第２のグループ化手段として機能させるプログラム。
１５−７．  １５−６に記載のプログラムにおいて、
前記第２のグループ化手段に、前記被害予測エリアに基づき第１のグループに分類される場合であっても、前記蓄電池各々の充電量、累積使用年数及び容量の中の少なくとも１つを含む蓄電池情報に基づき所定の条件を満たすと判断される蓄電池においては、第２のグループに分類させるプログラム。
１５−８．  １５−６又は１５−７に記載のプログラムにおいて、
前記第２のグループ化手段に、前記被害予測エリアに基づき第２のグループに分類される場合であっても、前記蓄電池各々の累積使用年数及び容量の中の少なくとも１つを含む蓄電池情報に基づき所定の条件を満たすと判断される蓄電池においては、第１のグループに分類させるプログラム。
１５−９．  １５に記載のプログラムにおいて、
前記グループ化手段を、
前記イベント情報取得手段が取得した前記イベント情報と、前記蓄電池各々に関する蓄電池情報とに基づいて、複数の前記蓄電池を、前記第１のグループ及び前記第２のグループに分ける第２のグループ化手段として機能させるプログラム。
１５−１０．  １５から１５−９のいずれかに記載のプログラムにおいて、
前記蓄電池制御手段に、前記第２のグループの前記蓄電池の電力を放電するよう制御させるプログラム。
１５−１１．  １５−１０に記載のプログラムにおいて、
前記蓄電池制御手段に、前記第２のグループの前記蓄電池の電力を、電力系統に給電するよう制御させるプログラム。
１５−１２．  １５から１５−１１のいずれかに記載のプログラムにおいて、
前記蓄電池制御手段に、前記第２のグループの前記蓄電池に電力を供給するよう構成された自家発電装置をさらに制御させ、当該自家発電装置が発電した電力を電力系統に給電させるプログラム。
１６．  自然災害に関する所定のイベントの発生及び当該イベントの詳細を示すイベント情報を取得するイベント情報取得手段と、
前記イベント情報に基づいて、管理対象の複数の蓄電池を、第１のグループ及び第２のグループに分けるグループ化手段と、を有し、
前記グループ化手段は、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
を有する電力管理装置。
１７．  １６に記載の電力管理装置において、
前記ユーザインターフェイス手段は、前記蓄電池各々の設置位置、及び、前記イベント情報に基づいて所定レベルの被害を受けると予測される被害エリアを示す情報を出力する電力管理装置。
１８．  １７に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害エリアを示す情報を重ねて表示する手段と、
を有する電力管理装置。
１９．  コンピュータが、
自然災害に関する所定のイベントの発生及び当該イベントの詳細を示すイベント情報を取得するイベント情報取得工程と、
前記イベント情報に基づいて、管理対象の複数の蓄電池を、第１のグループ及び第２のグループに分けるグループ化工程と、を実行し、
前記グループ化工程では、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
を実行する電力管理方法。
１９−２．  １９に記載の電力管理方法において、
前記ユーザインターフェイス工程では、前記蓄電池各々の設置位置、及び、前記イベント情報に基づいて所定レベルの被害を受けると予測される被害エリアを示す情報を出力する電力管理方法。
１９−３．  １９−２に記載の電力管理方法において、
前記ユーザインターフェイス工程では、
前記蓄電池が設置されているエリアの地図をディスプレイに表示する工程と、
前記地図上に、前記蓄電池各々の設置位置を示す情報を重ねて表示する工程と、
前記地図上に、前記被害エリアを示す情報を重ねて表示する工程と、
を実行する電力管理方法。
２０．  コンピュータを、
自然災害に関する所定のイベントの発生及び当該イベントの詳細を示すイベント情報を取得するイベント情報取得手段、
前記イベント情報に基づいて、管理対象の複数の蓄電池を、第１のグループ及び第２のグループに分けるグループ化手段、
として機能させ、
前記グループ化手段を、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
として機能させるためのプログラム。
２０−２．  ２０に記載のプログラムにおいて、
前記ユーザインターフェイス手段に、前記蓄電池各々の設置位置、及び、前記イベント情報に基づいて所定レベルの被害を受けると予測される被害エリアを示す情報を出力させるプログラム。
２０−３．  ２０−２に記載のプログラムにおいて、
前記ユーザインターフェイス手段を、
前記蓄電池が設置されているエリアの地図をディスプレイに表示する手段、
前記地図上に、前記蓄電池各々の設置位置を示す情報を重ねて表示する手段、
前記地図上に、前記被害エリアを示す情報を重ねて表示する手段、
として機能させるプログラム。
【００９９】
この出願は、２０１４年９月３０日に出願された日本出願特願２０１４−２００６０４号を基礎とする優先権を主張し、その開示の全てをここに取り込む。
【図１】
2016051958.tif 000003
【図２】
2016051958.tif 000004
【図３】
2016051958.tif 000005
【図４】
2016051958.tif 000006
【図５】
2016051958.tif 000007
【図６】
2016051958.tif 000008
【図７】
2016051958.tif 000009
【図８】
2016051958.tif 000010
【図９】
2016051958.tif 000011
【図１０】
2016051958.tif 000012
【図１１】
2016051958.tif 000013
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
自然災害に関わる所定のイベントの発生及び当該イベントの詳細を示すイベント情報の少なくとも一方を取得するイベント情報取得手段と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
前記グループ毎に、前記蓄電池の充電動作を制御する蓄電池制御手段と、
を有する電力管理装置。
【請求項２】
請求項１に記載の電力管理装置において、
前記ユーザインターフェイス手段は、前記影響情報として、前記蓄電池各々の設置位置、及び、前記イベント情報に基づいて所定レベルの被害を受けると予測された被害予測エリアを出力する電力管理装置。
【請求項３】
請求項２に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害予測エリアを示す情報を重ねて表示する手段と、
を有する電力管理装置。
【請求項４】
請求項１から３のいずれか１項に記載の電力管理装置において、
前記ユーザインターフェイス手段は、前記蓄電池各々の充電量、累積使用年数及び容量の中の少なくとも１つを出力する手段を有する電力管理装置。
【請求項５】
自然災害に関わる所定のイベントの発生及び当該イベントの詳細を示すイベント情報の少なくとも一方を取得するイベント情報取得手段と、
前記イベント情報に基づいて、複数の蓄電池を第１のグループ及び第２のグループに分けるグループ化手段と、
前記グループ毎に、前記蓄電池の充電動作を制御する蓄電池制御手段と、
を有し、
前記グループ化手段は、
前記イベント情報取得手段が取得した前記イベント情報と、前記イベントの詳細毎に被害予測エリアを予め特定した被害予測情報とに基づいて前記被害予測エリアを特定し、前記蓄電池各々の設置位置を示す蓄電池情報に基づいて当該被害予測エリアに位置する前記蓄電池を前記第２のグループに分類する第２のグループ化手段を有する電力管理装置。
【請求項６】
請求項５に記載の電力管理装置において、
前記第２のグループ化手段は、前記被害予測エリアに基づき前記第１のグループに分類される場合であっても、前記蓄電池各々の充電量、累積使用年数及び容量の中の少なくとも１つを含む蓄電池情報に基づき所定の条件を満たすと判断される蓄電池においては、前記第２のグループに分類する電力管理装置。
【請求項７】
請求項５又は６に記載の電力管理装置において、
前記第２のグループ化手段は、前記被害予測エリアに基づき前記第２のグループに分類される場合であっても、前記蓄電池各々の累積使用年数及び容量の中の少なくとも１つを含む蓄電池情報に基づき所定の条件を満たすと判断される蓄電池においては、前記第１のグループに分類する電力管理装置。
【請求項８】
請求項１に記載の電力管理装置において、
前記イベント情報取得手段が取得した前記イベント情報と、前記蓄電池各々に関する蓄電池情報とに基づいて、複数の前記蓄電池を、前記第１のグループ及び前記第２のグループに分ける第２のグループ化手段を有する電力管理装置。
【請求項９】
請求項１から８のいずれか１項に記載の電力管理装置において、
前記蓄電池制御手段は、前記第２のグループの前記蓄電池の電力を放電するよう制御する電力管理装置。
【請求項１０】
請求項９に記載の電力管理装置において、
前記蓄電池制御手段は、前記第２のグループの前記蓄電池の電力を、電力系統に給電するよう制御する電力管理装置。
【請求項１１】
請求項１から１０のいずれか１項に記載の電力管理装置において、
前記蓄電池制御手段は、前記第２のグループの前記蓄電池に電力を供給するよう構成された自家発電装置をさらに制御し、当該自家発電装置が発電した電力を電力系統に給電させる電力管理装置。
【請求項１２】
自然災害に関わる所定のイベントの発生及び当該イベントの詳細の少なくとも一方を示すイベント情報を取得するイベント情報取得手段と、
前記イベント情報に基づいて、管理対象の複数の蓄電池を、第１のグループ及び第２のグループに分けるグループ化手段と、
前記第２のグループの前記蓄電池よりも、前記第１のグループの前記蓄電池に優先的に充電を行わせる蓄電池制御手段と、
を有する電力管理装置。
【請求項１３】
自然災害に関わる所定のイベントの発生及び当該イベントの詳細の少なくとも一方を示すイベント情報を取得するイベント情報取得手段と、
前記イベント情報に基づいて、管理対象の複数の蓄電池を、第１のグループ及び第２のグループに分けるグループ化手段と、
前記第１のグループの前記蓄電池への充電を行わせ、前記第２のグループの前記蓄電池への充電を行わせないよう制御する蓄電池制御手段と、
を有する電力管理装置。
【請求項１４】
請求項１３に記載の電力管理装置において、
前記蓄電池制御手段は、前記第１のグループの前記蓄電池への充電が所定の状態に達すると、前記第２のグループの前記蓄電池への充電を行わせる電力管理装置。
【請求項１５】
請求項１から１４のいずれか１項に記載の電力管理装置と、
複数の蓄電池と、
を有する電力管理システム。
【請求項１６】
コンピュータが、
自然災害に関わる所定のイベントの発生及び当該イベントの詳細を示すイベント情報の少なくとも一方を取得するイベント情報取得工程と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
前記グループ毎に、前記蓄電池の充電動作を制御する蓄電池制御工程と、
を実行する電力管理方法。
【請求項１７】
コンピュータを
自然災害に関わる所定のイベントの発生及び当該イベントの詳細を示すイベント情報の少なくとも一方を取得するイベント情報取得手段、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
前記グループ毎に、前記蓄電池の充電動作を制御する蓄電池制御手段、
として機能させるためのプログラム。
【請求項１８】
自然災害に関する所定のイベントの発生及び当該イベントの詳細を示すイベント情報を取得するイベント情報取得手段と、
前記イベント情報に基づいて、管理対象の複数の蓄電池を、第１のグループ及び第２のグループに分けるグループ化手段と、を有し、
前記グループ化手段は、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
を有する電力管理装置。
【請求項１９】
請求項１８に記載の電力管理装置において、
前記ユーザインターフェイス手段は、前記蓄電池各々の設置位置、及び、前記イベント情報に基づいて所定レベルの被害を受けると予測される被害エリアを示す情報を出力する電力管理装置。
【請求項２０】
請求項１９に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害エリアを示す情報を重ねて表示する手段と、
を有する電力管理装置。
【請求項２１】
コンピュータが、
自然災害に関する所定のイベントの発生及び当該イベントの詳細を示すイベント情報を取得するイベント情報取得工程と、
前記イベント情報に基づいて、管理対象の複数の蓄電池を、第１のグループ及び第２のグループに分けるグループ化工程と、を実行し、
前記グループ化工程では、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
を実行する電力管理方法。
【請求項２２】
コンピュータを、
自然災害に関する所定のイベントの発生及び当該イベントの詳細を示すイベント情報を取得するイベント情報取得手段、
前記イベント情報に基づいて、管理対象の複数の蓄電池を、第１のグループ及び第２のグループに分けるグループ化手段、
として機能させ、
前記グループ化手段を、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
として機能させるためのプログラム。
【手続補正２】
【補正対象書類名】明細書
【補正対象項目名】００１１
【補正方法】変更
【補正の内容】
【００１１】
本発明によれば、
自然災害に関わる所定のイベントの発生及び当該イベントの詳細を示すイベント情報の少なくとも一方を取得するイベント情報取得手段と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
前記グループ毎に、前記蓄電池の充電動作を制御する蓄電池制御手段と、
を有する電力管理装置が提供される。
【手続補正３】
【補正対象書類名】明細書
【補正対象項目名】００１３
【補正方法】変更
【補正の内容】
【００１３】
本発明によれば、
コンピュータが、
自然災害に関わる所定のイベントの発生及び当該イベントの詳細を示すイベント情報の少なくとも一方を取得するイベント情報取得工程と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
前記グループ毎に、前記蓄電池の充電動作を制御する蓄電池制御工程と、
を実行する電力管理方法が提供される。
【手続補正４】
【補正対象書類名】明細書
【補正対象項目名】００１４
【補正方法】変更
【補正の内容】
【００１４】
本発明によれば、
コンピュータを
自然災害に関わる所定のイベントの発生及び当該イベントの詳細を示すイベント情報の少なくとも一方を取得するイベント情報取得手段、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
前記グループ毎に、前記蓄電池の充電動作を制御する蓄電池制御手段、
として機能させるためのプログラムが提供される。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
自然災害に関わる所定のイベントの発生及び当該イベントの詳細の少なくとも一方を示すイベント情報を取得するイベント情報取得手段と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
前記グループ毎に、前記蓄電池の充電動作を制御する蓄電池制御手段と、
を有する電力管理装置。
【請求項２】
請求項１に記載の電力管理装置において、
前記ユーザインターフェイス手段は、前記影響情報として、前記蓄電池各々の設置位置、及び、前記イベント情報に基づいて所定レベルの被害を受けると予測された被害予測エリアを出力する電力管理装置。
【請求項３】
請求項２に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害予測エリアを示す情報を重ねて表示する手段と、
を有する電力管理装置。
【請求項４】
請求項１から３のいずれか１項に記載の電力管理装置において、
前記ユーザインターフェイス手段は、前記蓄電池各々の充電量、累積使用年数及び容量の中の少なくとも１つを出力する手段を有する電力管理装置。
【請求項５】
自然災害に関わる所定のイベントの発生及び当該イベントの詳細の少なくとも一方を示すイベント情報を取得するイベント情報取得手段と、
前記イベント情報に基づいて、複数の蓄電池を第１のグループ及び第２のグループに分けるグループ化手段と、
前記グループ毎に、前記蓄電池の充電動作を制御する蓄電池制御手段と、
を有し、
前記グループ化手段は、
前記イベント情報取得手段が取得した前記イベント情報と、前記イベントの詳細毎に被害予測エリアを予め特定した被害予測情報とに基づいて前記被害予測エリアを特定し、前記蓄電池各々の設置位置を示す蓄電池情報に基づいて当該被害予測エリアに位置する前記蓄電池を前記第２のグループに分類する第２のグループ化手段を有する電力管理装置。
【請求項６】
請求項５に記載の電力管理装置において、
前記第２のグループ化手段は、前記被害予測エリアに基づき前記第１のグループに分類される場合であっても、前記蓄電池各々の充電量、累積使用年数及び容量の中の少なくとも１つを含む蓄電池情報に基づき所定の条件を満たすと判断される蓄電池においては、前記第２のグループに分類する電力管理装置。
【請求項７】
請求項５又は６に記載の電力管理装置において、
前記第２のグループ化手段は、前記被害予測エリアに基づき前記第２のグループに分類される場合であっても、前記蓄電池各々の累積使用年数及び容量の中の少なくとも１つを含む蓄電池情報に基づき所定の条件を満たすと判断される蓄電池においては、前記第１のグループに分類する電力管理装置。
【請求項８】
請求項１に記載の電力管理装置において、
前記イベント情報取得手段が取得した前記イベント情報と、前記蓄電池各々に関する蓄電池情報とに基づいて、複数の前記蓄電池を、前記第１のグループ及び前記第２のグループに分ける第２のグループ化手段を有する電力管理装置。
【請求項９】
請求項１から８のいずれか１項に記載の電力管理装置において、
前記蓄電池制御手段は、前記第２のグループの前記蓄電池の電力を放電するよう制御する電力管理装置。
【請求項１０】
請求項９に記載の電力管理装置において、
前記蓄電池制御手段は、前記第２のグループの前記蓄電池の電力を、電力系統に給電するよう制御する電力管理装置。
【請求項１１】
請求項１から１０のいずれか１項に記載の電力管理装置において、
前記蓄電池制御手段は、前記第２のグループの前記蓄電池に電力を供給するよう構成された自家発電装置をさらに制御し、当該自家発電装置が発電した電力を電力系統に給電させる電力管理装置。
【請求項１２】
自然災害に関わる所定のイベントの発生及び当該イベントの詳細の少なくとも一方を示すイベント情報を取得するイベント情報取得手段と、
前記イベント情報に基づいて、管理対象の複数の蓄電池を、第１のグループ及び第２のグループに分けるグループ化手段と、
前記第２のグループの前記蓄電池よりも、前記第１のグループの前記蓄電池に優先的に充電を行わせる蓄電池制御手段と、
を有する電力管理装置。
【請求項１３】
自然災害に関わる所定のイベントの発生及び当該イベントの詳細の少なくとも一方を示すイベント情報を取得するイベント情報取得手段と、
前記イベント情報に基づいて、管理対象の複数の蓄電池を、第１のグループ及び第２のグループに分けるグループ化手段と、
前記第１のグループの前記蓄電池への充電を行わせ、前記第２のグループの前記蓄電池への充電を行わせないよう制御する蓄電池制御手段と、
を有する電力管理装置。
【請求項１４】
請求項１３に記載の電力管理装置において、
前記蓄電池制御手段は、前記第１のグループの前記蓄電池への充電が所定の状態に達すると、前記第２のグループの前記蓄電池への充電を行わせる電力管理装置。
【請求項１５】
請求項１から１４のいずれか１項に記載の電力管理装置と、
複数の蓄電池と、
を有する電力管理システム。
【請求項１６】
コンピュータが、
自然災害に関わる所定のイベントの発生及び当該イベントの詳細の少なくとも一方を示すイベント情報を取得するイベント情報取得工程と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
前記グループ毎に、前記蓄電池の充電動作を制御する蓄電池制御工程と、
を実行する電力管理方法。
【請求項１７】
コンピュータを
自然災害に関わる所定のイベントの発生及び当該イベントの詳細の少なくとも一方を示すイベント情報を取得するイベント情報取得手段、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
前記グループ毎に、前記蓄電池の充電動作を制御する蓄電池制御手段、
として機能させるためのプログラム。
【請求項１８】
自然災害に関する所定のイベントの発生及び当該イベントの詳細の少なくとも一方を示すイベント情報を取得するイベント情報取得手段と、
前記イベント情報に基づいて、管理対象の複数の蓄電池を、第１のグループ及び第２のグループに分けるグループ化手段と、を有し、
前記グループ化手段は、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
を有する電力管理装置。
【請求項１９】
請求項１８に記載の電力管理装置において、
前記ユーザインターフェイス手段は、前記蓄電池各々の設置位置、及び、前記イベント情報に基づいて所定レベルの被害を受けると予測される被害エリアを示す情報を出力する電力管理装置。
【請求項２０】
請求項１９に記載の電力管理装置において、
前記ユーザインターフェイス手段は、
前記蓄電池が設置されているエリアの地図をディスプレイに表示する手段と、
前記地図上に、前記蓄電池各々の設置位置を示す情報を重ねて表示する手段と、
前記地図上に、前記被害エリアを示す情報を重ねて表示する手段と、
を有する電力管理装置。
【請求項２１】
コンピュータが、
自然災害に関する所定のイベントの発生及び当該イベントの詳細の少なくとも一方を示すイベント情報を取得するイベント情報取得工程と、
前記イベント情報に基づいて、管理対象の複数の蓄電池を、第１のグループ及び第２のグループに分けるグループ化工程と、を実行し、
前記グループ化工程では、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
を実行する電力管理方法。
【請求項２２】
コンピュータを、
自然災害に関する所定のイベントの発生及び当該イベントの詳細の少なくとも一方を示すイベント情報を取得するイベント情報取得手段、
前記イベント情報に基づいて、管理対象の複数の蓄電池を、第１のグループ及び第２のグループに分けるグループ化手段、
として機能させ、
前記グループ化手段を、
前記イベント情報に基づいて作成された複数の前記蓄電池各々に対する前記イベントの影響を示す影響情報を出力し、前記蓄電池を前記第１のグループ及び前記第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
として機能させるためのプログラム。
【手続補正２】
【補正対象書類名】明細書
【補正対象項目名】００１１
【補正方法】変更
【補正の内容】
【００１１】
本発明によれば、
自然災害に関わる所定のイベントの発生及び当該イベントの詳細の少なくとも一方を示すイベント情報を取得するイベント情報取得手段と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段と、
前記ユーザ入力に基づいて、前記蓄電池を前記第１のグループ及び前記第２のグループに分ける第１のグループ化手段と、
前記グループ毎に、前記蓄電池の充電動作を制御する蓄電池制御手段と、
を有する電力管理装置が提供される。
【手続補正３】
【補正対象書類名】明細書
【補正対象項目名】００１３
【補正方法】変更
【補正の内容】
【００１３】
本発明によれば、
コンピュータが、
自然災害に関わる所定のイベントの発生及び当該イベントの詳細の少なくとも一方を示すイベント情報を取得するイベント情報取得工程と、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス工程と、
前記ユーザ入力に基づいて、前記蓄電池を前記第１のグループ及び前記第２のグループに分ける第１のグループ化工程と、
前記グループ毎に、前記蓄電池の充電動作を制御する蓄電池制御工程と、
を実行する電力管理方法が提供される。
【手続補正４】
【補正対象書類名】明細書
【補正対象項目名】００１４
【補正方法】変更
【補正の内容】
【００１４】
本発明によれば、
コンピュータを
自然災害に関わる所定のイベントの発生及び当該イベントの詳細の少なくとも一方を示すイベント情報を取得するイベント情報取得手段、
前記イベント情報に基づいて作成された複数の蓄電池各々に対する前記イベントの影響を示す影響情報を出力し、前記蓄電池を第１のグループ及び第２のグループにグループ分けするユーザ入力を受付けるユーザインターフェイス手段、
前記ユーザ入力に基づいて、前記蓄電池を前記第１のグループ及び前記第２のグループに分ける第１のグループ化手段、
前記グループ毎に、前記蓄電池の充電動作を制御する蓄電池制御手段、
として機能させるためのプログラムが提供される。
【国際調査報告】
2016051958.tif 000014
2016051958.tif 000015
2016051958.tif 000016
2016051958.tif 000017